(57)【要約】【課題】パチンコ遊技機の搬送時、搬入・設置時等において、操作部材が邪魔にならないようにし、かつ、操作部材を遊技者に操作可能とする際に手間がかからないようにする。【解決手段】操作部材２１には、遊技機本体に取り付けられる取付部２２と、取付部２２の先端部に設けられるとともに操作ハンドル６を有する操作部２３とが備えられている。操作パネル３ａには、操作部材２１の配置位置に対応して操作ハンドル６を収容する収容凹部５１が形成されている。操作部２３の操作ハンドル６が収容凹部５１内に収容される収容位置と、操作部２３の操作ハンドル６が収容凹部５１の外に突出して操作ハンドル６が遊技者に操作される配置となる操作位置との間で操作部２３が移動自在とされている。また、操作部材２１は、操作位置に固定可能で、かつ、操作位置に固定された操作部材２１を遊技者が収容位置側に移動できないようになっている。【選択図】図３
2008125521.tif 000002
【特許請求の範囲】
【請求項１】
遊技媒体を遊技領域に発射する際の発射強度の強弱を調整操作するための操作部材と、遊技機本体の前面の一部を構成するとともに前記操作部材が配置される操作パネルとを有する遊技機において、
前記操作部材には、前記遊技機本体に取り付けられる取付部と、前記取付部の先端部に設けられるとともに遊技者の手により操作されて発射強度の強弱を調整するために移動する操作ハンドルを有する操作部とが備えられ、
前記操作パネルには、前記操作部材の配置位置に対応して前記操作ハンドルを収容する収容凹部が形成され、
前記取付部は、前記操作部の操作ハンドルが前記収容凹部内に収容される収容位置と、当該操作部の操作ハンドルが前記収容凹部の外に突出して当該操作ハンドルが遊技者に操作される配置となる操作位置との間で前記操作部を移動自在に支持し、かつ、前記操作部を前記収容位置と前記操作位置とのそれぞれに保持可能となっていることを特徴とする遊技機。
【請求項２】
前記収容位置と、前記操作位置との少なくとも一方に前記操作部が存在することを検知する検知手段が設けられていることを特徴とする請求項１に記載の遊技機。
【発明の詳細な説明】
【技術分野】
【０００１】
本発明は、パチンコ店などの遊技場に設置して使用される遊技機に関するものである。
【背景技術】
【０００２】
一般に、パチンコ遊技機や、それに類似する各種弾球遊技機においては、遊技球（遊技媒体）を遊技領域に発射する発射装置における遊技球の発射勢を調整する際に操作される操作ハンドルを有する操作部材が設けられており、この操作ハンドルにより遊技球の発射開始および発射終了と、遊技球の発射勢の強弱の調整が可能となっている。
そして、このような操作部材は、基本的には右手用で、全体が概略矩形状の遊技機の下部の右側縁部から前方に突出して形成されている。また、操作ハンドルは、遊技者の操作を容易とするために、パチンコ遊技機の端側の位置で、遊技盤のガラス枠の前面よりもかなり前方に突出した状態となっている。
【０００３】
そのため、パチンコ遊技機を遊技店に搬入するために、パチンコ遊技機をトラック等に積んだり降ろしたりする際や、遊技店内に搬入する際や、遊技店の島設備に設置する際に操作部材が邪魔になる場合がある。特に、操作部材が、遊技機の前面の右下の端側に配置されていることや、キノコ状に基端部（遊技機本体に取り付けられる取付部）より先端部（操作ハンドルを有する操作部）の方が大きくなっていることのために、何かに引っ掛けやすい状態となっており、パチンコ遊技機では、操作部材の近傍で上皿等もガラス枠の前面よりもかなり突出した状態となっているが、操作部材が最も作業の邪魔になっていた。
【０００４】
そこで、操作部材の操作部の最も先端となる半球状の手載せ部材をパチンコ遊技機から分離可能な分離部材とするとともに、この分離部材を収納する収納部をパチンコ遊技機に設け、搬送時には、前記分離部材を取り外して収納部に収納しておくことが提案されている（例えば、特許文献１参照）。
なお、手載せ部材の奥に隣接して操作ハンドルが設けられており、手載せ部材に上側から掌もしくは指の付け根部分を乗せた状態で指が丁度操作ハンドルに掛かるようになっている。
【０００５】
これにより、搬送時や、搬入・設置時や、撤去・搬出時には、操作部材の先端部を取り外すことで、操作部材の突出量を減少させて、操作部材が作業の邪魔になるのを防止し、かつ、取り外した操作部材の一部をパチンコ遊技機に収納可能とすることで、取り外した状態の操作部材の紛失を防止することができる。
【０００６】
【特許文献１】特開２００５−１５２４４６号公報
【発明の開示】
【発明が解決しようとする課題】
【０００７】
ところで、上述のように操作部材の一部を取り外して収納する構成では、パチンコ遊技機の設置時に収納された操作部材の一部の取り出し作業と、取り出した操作部材の一部の取り付け作業とに手間がかかり、多数台を搬入・設置するような場合に作業時間が長くなってしまうという問題があった。
【０００８】
また、特許文献１では、操作部材の全体をパチンコ遊技機から分離して収納する構成としてもよいと記載されているが、操作部材の全体を分離して収納する構成とした場合に、現状のパチンコ遊技機では、大型のディスプレイや、多数の基板等が配置され、操作部材全体を収容可能な収納スペースを確保することが困難であった。
【０００９】
本発明は、上記事情に鑑みて為されたもので、搬送時、搬入・設置時、撤去・搬出時に操作部材が邪魔にならないようにし、かつ、設置時に操作部材を遊技者に操作可能とする際に手間がかからない遊技機を提供することを目的とする。
【課題を解決するための手段】
【００１０】
請求項1に記載の発明は、遊技媒体を遊技領域に発射する際の発射強度の強弱を調整操作するための操作部材と、遊技機本体の前面の一部を構成するとともに前記操作部材が配置される操作パネルとを有する遊技機において、
前記操作部材には、前記遊技機本体に取り付けられる取付部と、前記取付部の先端部に設けられるとともに遊技者の手により操作されて発射強度の強弱を調整するために移動する操作ハンドルを有する操作部とが備えられ、
前記操作パネルには、前記操作部材の配置位置に対応して前記操作ハンドルを収容する収容凹部が形成され、
前記取付部は、前記操作部の操作ハンドルが前記収容凹部内に収容される収容位置と、当該操作部の操作ハンドルが前記収容凹部の外に突出して当該操作ハンドルが遊技者に操作される配置となる操作位置との間で前記操作部を移動自在に支持し、かつ、前記操作部を前記収容位置と前記操作位置とのそれぞれに保持可能となっていることを特徴とする。
【００１１】
請求項１記載の発明によれば、操作部材の操作ハンドルを有する操作部が取付部により出没移動が自在な状態となり、これにより操作部材の操作ハンドルが収容凹部に対して出没し、搬送時、搬入・設置時、撤去・搬出時等において操作ハンドルを収納した状態とすることにより、操作部材が作業の邪魔になるのを防止することができる。
また、設置時には、収容凹部に操作ハンドルが没した状態なのを操作部ごと引き出すだけの容易な操作で対応でき、撤去時には、突出した操作部の操作ハンドルを収容凹部に押し込むだけの容易な操作で対応することができるので、作業時間にほとんど影響を与えることがない。
【００１２】
なお、操作部は、収容位置もしくは操作位置に保持されて固定された状態となり、操作部の移動時に保持（固定）を解除することになるが、この保持の解除が遊技者に行えないように、例えば、操作パネルもしくは操作パネルを有する遊技機の前面の下部を構成する下部前面パネルが開放自在とされ、この下部前面パネルの開放時にのみ操作部の保持の解除が可能となっていることが好ましい。
【００１３】
また、操作部材の操作ハンドルより先端側に手載せ部がある場合に、収容凹部は、操作ハンドルが収容できればよいので、収容凹部のスペースを少なくすることができる。
また、操作ハンドルは、指をかける部分等のために突起が形成されて、ものを引っ掛け易い形状となっているのに対して、手載せ部は、載せられる掌や指に不快感を与えないように比較的円滑な面で構成され、ものが引っ掛かりにくい形状となる可能性が高い。
そこで、操作部材の突出量を減らす上で、最も先端の手載せ部を取り除くよりも、全体を遊技機本体側に押し込んで操作ハンドルが隠れるようにした方が好ましく、本発明のように収容凹部に操作ハンドルを収容し、手載せ部が突出するような構造とすれば、上述のように収容スペースを少なくしても、操作部材が作業中に他のものに引っ掛かるような事態を効率的に防止することができる。
【００１４】
なお、キノコ状の頭部分となる操作部は、搬送時に受皿の影となって作業者に見えづらいことから、何かにぶつけて傷を付け易い箇所となる。また、遊技者に対して操作部は、目につく箇所となるので、傷がつくと目立ってしまう。したがって、操作ハンドルだけではなく、操作部全体が収容凹部に収容されるものとしてもよい。
【００１５】
ここで、一般的なパチンコ遊技機の本体（背面からガラス枠や下部前面パネルの前面まで）は、受皿の突出量（約１５０ｍｍ）に比較して、その奥行き方向の長さが短く（約８０ｍｍ）なっている。従って、操作部全体を収容可能な収容凹部を形成することは困難である。また、操作部材を後方に向かってスライドさせ、操作部材全体を完全に本体内部に収容させる構成に無理にすると、操作部材全体の長さを短くするしかなく、収容位置から操作位置にした場合に操作部材の前方への突出量が短くなってしまい、操作性が悪くなってしまう。そこで、収容凹部の周囲を従来の下部前面パネルより前方に突出した状態とすることで、操作部材の前後長さを短くすることなく、操作部材の操作部全体を収容凹部に収容することができる。
【００１６】
この場合に、遊技機本体前面からの突出量は、収容凹部を構成する部材が前方に突出するため、操作ハンドルまで収容凹部に収容した場合に比較して小さくなるとは限らないが、操作部全体を収容凹部内に収容することで、操作部に傷がつくのを防止することができる。
以上のことから、前記収容凹部の少なくとも一部は、操作ハンドルの外形に沿って下部前面パネルから前方に突出させる構成としても良い。
【００１７】
請求項２に記載の発明は、請求項１に記載の遊技機において、
前記収容位置と、前記操作位置との少なくとも一方に前記操作部が存在することを検知する検知手段が設けられていることを特徴とする。
【００１８】
請求項２記載の発明によれば、収容位置と、操作位置のいずれかに操作部が固定されている場合に、収容位置と、前記操作位置との少なくとも一方に前記操作部が存在することを検知する検知手段を設けることで、現在操作部が収容位置に在るか操作位置に在るかを判定することができる。
従って、例えば、遊技機を遊技店に搬入して設置した際に、操作部（操作ハンドル）を操作位置に移動するのを忘れたような場合に、電源投入後に操作部が収容位置にあることを前記検知手段が検知することで、収容位置にある操作部を操作位置に移動させるように報知する構成とすることが可能となる。
【００１９】
なお、操作部が、収容位置と操作位置との間に配置されてしまうことが考えられる場合は、遊技機の使用時に操作部が操作位置に無いことを確実に検知できるように、収容位置と操作位置との両方で操作ハンドルが存在するか否かを検知できるように２つの検知手段を配置するか、操作位置に操作ハンドルが存在するか否かを検知する検知手段を配置することが好ましい。
【００２０】
また、遊技者の中には、遊技領域に打ち出した遊技球の流下方向に意図的な変化を付けようとして、操作部を叩いたり、引いたりして遊技機に外力を与える者がいる。そこで、前記検知手段により操作部が適正な操作位置に存在しないことが検知された場合、たとえば、操作部を強い力で、叩いたり、引いたりすることで、一時的に検知位置にずれが生じて本来検知しないはずのものを検知したり、もしくは検知しているはずのものを検知しなくなった場合に、その旨を報知するか、または、遊技の継続をできなくする事で、上述のような遊技球の流下方向を外力で変化させる不正の対策に繋げることができる。
【発明の効果】
【００２１】
本発明の遊技機のよれば、遊技機の搬送、搬入、設置、撤去、搬出の作業時に、操作部材の操作ハンドルを収容凹部に収容した状態として、操作ハンドルが作業の邪魔になるのを防止し、かつ、簡単な操作で、収容された操作ハンドルを操作位置に配置することができる。
【発明を実施するための最良の形態】
【００２２】
以下、図面を参照して、遊技機設置営業店等の場所に設置され、遊技媒体（例えば、遊技球やメダル等）の供給に基づいて遊技者に遊技を行わせる遊技機（例えば、弾球遊技機としてのパチンコ遊技機）の構成及び動作について説明する。
【００２３】
図１から図３に示すパチンコ遊技機１は、後述の操作ハンドル６を有する操作部材２１の取付部分を除く全体としては各種パチンコ機としての一般的な基本構成を有するもので、矩形枠状で島設備に取り付けられる機枠１ａ（図２，３に図示）と、機枠１ａに扉状に開閉自在に取り付けられ、遊技盤が収容される収容部を備えた前面枠（図示略）と、前面枠の前側に扉状に開閉自在に取り付けられたガラス枠２と、前面枠の下部に着脱自在に取り付けれ、ガラス枠２の下側の前面を構成する下部前面パネル３とを備えている。
【００２４】
ガラス枠２には、遊技盤の遊技球が流下する遊技領域を視認可能とするように開閉自在に透明板（二重ガラス）４が嵌め込まれている。また、前面枠のガラス枠２より下側の下部前面パネル３には、その中央の上部に遊技球を貯留するとともに前記遊技領域に遊技球を発射する発射装置に遊技球を供給する受皿５が備えられ、向かって右端側に回転式の操作ハンドル６を有する操作部材２１が備えられ、向かって左端側に灰皿７が備えられている。
また、受皿５上部の遊技者側となる前部には、貸球の払い出し等の操作を行うための操作部８が設けられている。
【００２５】
前記受皿５より左側の灰皿７が設けられる部分は、下部前面パネル３に対して上部が下側に倒れるように回動して開放可能なサイドパネル９が設けられている。
サイドパネル９には、灰皿７とともに遊技の演出で用いられ、遊技者が操作する演出ボタン１０や、受皿５内の遊技球を排出させるための排出スイッチ１１等が設けられている。
【００２６】
なお、この例においては、前面枠に着脱自在な下部前面パネル３に対してサイドパネル９が下部の水平な軸周りに回転して開閉する構造となっているが、例えば、下部前面パネル３全体もしくは後述の操作パネル３ａを含む一部が例えば垂直もしくは水平な軸周りに回転して開閉自在となっていてもよい。すなわち、パチンコ遊技機１の下部の前面を構成し、操作ハンドル６を有する操作部材２１が取り付けられる操作パネル３ａを備えた部分が開放可能で、操作パネル３ａの裏面（背面）側を露出可能な構成となっていればよい。また、パチンコ遊技機１の前面を構成する部材（たとえば、下部前面パネル３、サイドパネル９、操作パネル３ａ）を開放する構成において、周知のように開放に際しては鍵により施錠を解除する必要がある構成となっていることが好ましい。
【００２７】
そして、操作部材２１は、下部前面パネル３の右端部となる操作パネル３ａに取り付けられる。すなわち、この例のパチンコ遊技機１は、遊技媒体を遊技領域に発射する際の発射強度の強弱を調整操作するための操作部材２１と、遊技機本体の前面の一部を構成するとともに操作部材２１が配置される操作パネル３ａとを有する遊技機となる。
【００２８】
操作部材２１は、遊技機本体に取り付けられる略円筒状の取付部２２と、取付部２２の先端側で取付部２２より大きな傾を有する操作部２３とから全体がキノコ状に形成されている。すなわち、操作部材２１には、遊技機本体に取り付けられる取付部２２と、取付部２２の先端部に設けられるとともに遊技者の手により操作されて発射強度の強弱を調整するために移動する操作ハンドル６を有する操作部２３とが備えられている。
【００２９】
なお、取付部２２は、後述の略円筒状の支持筒部４１に回転不可でかつ軸方向に移動自在に挿入される必要があり、取付部２２と支持筒部４１とに間に取付部２２の回転を阻止する構造を有するものとなっている。例えば、取付部２２の外周面に軸方向に沿って複数もしくは１つのリブ（突条）を設け、支持筒部４１の内周面に前記リブに対応する溝を設けた構成（キー構造）としてもよい。
【００３０】
また、支持筒部４１内に挿入される取付部２２の軸周りの回転を阻止するために、取付部２２の外周面および支持筒部４１の内周面をそれぞれ円筒ではなく多角形の筒状としてもよいし、それぞれを楕円の筒状としてもよいし、互いにスプライン結合する形状としてもよい。
【００３１】
取付部２２の前後２箇所には、それぞれ、操作パネル３ａの裏面の後述の固定部材４０に設けられる前後一対ずつの可動保持部材４２，４２が挿入される左右一対の溝部２４，２４が設けられている。
また、取付部２２の後端には、略円筒状の取付部２２の軸方向と直交する板状の抜け止め板２６が設けられ、抜け止め板２６の径が取付部２２の径より大きくなって、抜け止め板２６の外周部が取付部２２の後端外周から鍔状に突出した状態となっている。
【００３２】
そして、可動保持部材４２，４２で位置を固定されていない操作部材２１を引っ張ると、前記支持筒部４１の後端に抜け止め板２６の外周部が当接して操作部材２１のそれ以上の前方への移動を阻止し、操作部材２１が操作パネル３ａから外れるのを防止するようになっている。また、この位置で、取付部２２の後端部の溝部２４，２４に可動保持部材４２，４２の先端部を挿入可能な位置となり、抜け止め板２６は、溝部２４，２４と可動保持部材４２，４２との位置決めとしても機能する。
【００３３】
前記操作部２３は、前記取付部２２と一体に形成され、前記取付部２２より径が大きく、前面がほぼ半球状に形成された手載せ部２７と、手載せ部２７の後端部の外周部に取付部２２の軸周りに回転自在に取り付けられた操作ハンドル６とを有するものである。
手載せ部２７は、その外周面が略球面状で、その上に掌を乗せた状態で指を操作ハンドル６にかけることにより、操作ハンドル６を長時間操作する際の腕の負担を軽減するものである。
【００３４】
そして、手載せ部２７の後、すなわち、操作部２３の後部の外周に操作ハンドル６が所定角度範囲内で回転自在に取り付けられている。また、操作ハンドル６には、図１に示すように、指を掛けるための複数の指掛け部２８，…が外周側に突出して設けられている。
なお、操作ハンドル６は、遊技球の発射装置に対してのその回転角度を伝達可能となっており、操作ハンドル６の回転角度により、遊技球の発射勢が決まるようになっている。
例えば、操作ハンドル６の回転角度を、回転型の可変抵抗器や、バリアブルコンデンサ等により電気的に伝達するものしてもよい。
また、操作ハンドル６は、例えば、その表面が金属メッキされるとともにさらに樹脂がコーティングされ、静電容量式のタッチセンサとされている。
【００３５】
そして、発射制御装置が、タッチセンサからの遊技者の手を検知したことを示す信号に基づき発射装置を作動させ、上述の操作ハンドル６の回転角度を示す信号に基づき遊技球の遊技領域への発射勢を制御するようになっている。
【００３６】
そして、操作部材２１が取り付けられる操作パネル３ａは、遊技機本体の前面、例えば、ガラス枠２の透明板４の前面に対して向かって斜め右に傾斜して配置され、前記操作部材２１の軸方向は、この斜めの操作パネル３ａと直交するようには位置されることで、遊技機本体の前面に対して斜め右向きとなっている。
【００３７】
操作パネル３ａの裏面には、固定部材４０がビス止めされて固定されている。固定部材４０は、操作パネル３ａの裏面に取り付けられる矩形板状のベース板４３と、ベース板４３に軸方向を直交させて接合された前記支持筒部４１と、前記操作部材２１の取付部２２の前後一対ずつの溝部２４，２４に嵌合して、操作部材２１の操作部２３を、図２に示す遊技者が操作する操作位置と、図３に示すように操作ハンドル６を操作パネル３ａに収容した収容位置とのいずれかに保持するための一対の可動保持部材４２，４２とを有する。
【００３８】
前記ベース板４３は、たとえは、金属製の板体であり、その四隅にビス孔を有し、ビスにより、操作パネル３ａに形成されたボスに固定される。
また、ベース板４３の中央部には、操作部材２１の取付部２２を挿通させる挿通孔が形成され、取付部２２が貫通した状態に配置される。
【００３９】
また、ベース板４３の裏面側（操作パネル３ａの反対側）には、左右一対の前記可動保持部材４２，４２がそれぞれ左右に移動自在に取り付けられている。すなわち、可動保持部材４２，４２は、図示しない取付部材によりベース板４３から取り外せないによりベース板４３に取り付けられるとともに、取付部材に設けられた案内部材により、左右に移動自在に案内されている。
【００４０】
また、可動保持部材４２，４２は、互いに同一線上に配置され、先端部同士を対向させるとともに、後端部がベース板４３から直角に離れる方向に曲がって形成され、断面Ｌ字状となっている。そして、可動保持部材４２，４２の後端部に指を掛けて可動保持部材４２，４２の移動を操作可能となっている。
また、可動保持部材４２、４２は、ベース板４３に形成された操作部材２１の取付部２２が貫通する挿通孔の中心から取付部２２（挿通孔）の半径となる距離より離された位置に先端部を配置可能で、さらに、前記位置から先端部を取付部２２の溝部２４，２４内に挿入する位置まで移動可能となっている。
【００４１】
そして、図３に示すように、取付部２２の前後２箇所の一対ずつの溝部２４，２４のうちの前側の一対の溝部を前記ベース板４３の裏面の可動保持部材４２，４２の位置に合わせた状態で、可動保持部材４２，４２の先端部を溝部２４，２４に挿入することで、操作部材２１を前記収容位置に固定（保持）することができる。
【００４２】
また、図２に示すように、取付部２２の前後２箇所の一対ずつの溝部２４，２４のうちの後ろ側の一対の溝部を前記ベース板４３の裏面の可動保持部材４２，４２の位置に合わせた状態で、可動保持部材４２，４２の先端部を溝部２４，２４に挿入することで、操作部材２１を前記操作位置に固定（保持）することができる。
【００４３】
前記支持筒部４１は、その先端部が前記ベース板４３に接合された金属製の筒であり、前記支持筒部４１の内部の貫通した孔（内部空間）と、前記ベース板４３の挿通孔とが一致して連通するようにベース板４３に接合されている。そして、操作部材２１の取付部２２がベース板４３の挿通孔と、支持筒部４１内の孔との両方を貫通した状態となり、支持筒部４１が操作部材２１の取付部を前後動自在に支持するようになっている。
これにより、取付部２２が支持筒部４１の軸方向に沿った長さに渡って囲われた状態となり、取付部２２と支持筒部４１との間のクリアランスを小さくすることで、操作位置にある操作部材２１が遊技者に手荒に扱われても操作部材２１が使用位置に対して斜めとなるような事態を防止できる。
【００４４】
また、支持筒部４１のベース板４３に接合される先端部には、前記可動保持部材４２，４２が挿通する切欠部が形成され、支持筒部４１外部の可動保持部材４２の先端部が支持筒部４１内の取付部２２の溝部２４，２４に挿入可能となっている。
【００４５】
操作パネル３ａの前面には、前記収容位置とされる操作部材２１の操作部２３に設けられる操作ハンドル６の部分まで操作部２３を挿入可能な収容凹部５１が形成されている。
操作パネル３ａの操作部材２１の取り付け位置には、操作部材２１の取付部２２を挿通する挿通孔が形成され、この挿通孔をほぼ中心として、操作部２３の少なくとも操作ハンドル６の部分までを収容可能な、収容凹部５１が形成されている。すなわち、操作パネル３aには、操作部材２１の配置位置に対応して操作ハンドル６を収容する収容凹部５１が形成されている。
【００４６】
そして、取付部２２は、操作部２３の操作ハンドル６が収容凹部内５１に収容される収容位置と、操作部２３の操作ハンドル６が収容凹部５１の外に突出して当該操作ハンドル６が遊技者に操作される配置となる操作位置との間で前記操作部を移動自在に支持していることになる。また、前記可動保持部材４２，４２により、操作部２３を収容位置と操作位置とのそれぞれに保持可能となっている。なお、ここで、支持筒部４１を取付部２２の一部と考えてもよく、取付部２２が二重管構造もしくは、管と管内に挿入された軸とからなる構造となっており、外管もしくは内管の一方が固定部材４０に固定され、他方が前後動自在の構造となっているか、軸もしくは管の一方が固定部材４０に固定され、他方が前後動自在の構造となっている。そして、前後動自在な外管もしくは内管、あるいは、軸もしくは管の先端部に操作部２３を設けた構造となっているものと考えてもよい。
【００４７】
収容凹部５１は、この例では、例えば、複数の指掛け部２８を備える操作ハンドル６の形状と同様の形状を有するものとなっているが、必ずしも同様の形状とする必要はなく、指掛け部２８も含めて操作ハンドル６のほぼ全体がその周囲を囲まれた状態となるように収容凹部５１に収容可能となっていればよい。なお、操作部材２１（操作部２３）が操作位置にある状態では、遊技者から収容凹部５１が視認可能となるが、例えば、収容凹部５１の周囲の部分にＬＥＤを内蔵させて発光可能とするなどして、収容凹部５１を装飾部材の一部のように見せることが好ましい。
【００４８】
なお、収容凹部５１は、操作ハンドル６を完全に収容するものでなくてもよく、操作ハンドル６の一部、もしくは略全体を収容するものであればよい。さらに、収容凹部５１は、操作部２３の操作ハンドル６よりも前側となる手載せ部２７の少なくとも一部を収容するものであってもよいし、操作部２３全体を収容するものであってもよい。
【００４９】
また、この例では、収容凹部５１に操作部２３を押し込んで、操作部２３の背面と収容凹部５１内の前面とが当接して、操作部２３をそれ以上後方に移動できない状態となった際に、取付部２２の前側の溝部２４，２４に可動保持部材４２，４２が挿入可能な位置となり、この構成により取付部２２の前側の溝部２４，２４と可動保持部材４２，４２との位置決めが可能となっている。
【００５０】
ここで、収容凹部５１は、遊技機本体前面（例えば、ガラス枠２の前面）より前方に延出して設けられる操作部材２１の延出量を減少させるためのものであるとともに、操作部材２１がその基端側となる取付部２２の径が細く、先端側となる操作部２３の径が取付部２２より大きくなっていることで、取付部２２を前後動自在とした場合に、取付部２２の径に対応した操作パネル３ａの挿通孔の前面側開口部の部分で操作部２３が止まってしまうことになり、操作部２３は露出した状態となる。
【００５１】
この場合に、操作部材２１の延出量は、短くなるので、パチンコ遊技機１の搬入、搬出、設置、撤去時において、操作部材２１が邪魔になるのをある程度防止することができるが、さらに、突出量を減らすことが好ましく、また、操作部２３の特に指掛け部２８を有して他の部材に引っ掛かり易い操作ハンドル６全体が露出していると、パチンコ遊技機１の搬入、搬出、設置、撤去時に邪魔になる可能性がある。そこで、上述のように、操作パネル３ａの取付部２２が挿通する挿通孔の周囲に操作部２３の少なくとも操作ハンドル６の一部を収容する収容凹部５１を設けることで、突出量を減らすとともに、操作ハンドル６の指掛け部２８を隠して、より確実にパチンコ遊技機１の搬入、搬出、設置、撤去時において、操作部材２１が邪魔になるのを防止できる。
【００５２】
一方、パチンコ遊技機１の搬入、搬出、設置、撤去時において、遊技機本体前面から突出する操作部材２１の先端部となる操作部２３を何かにぶつけてしまうことで、遊技者側に延出して遊技者に視認され易い操作部２３に傷をつけてしまう可能性がある。上述の構成では、上述のように操作ハンドル６まで収容凹部５１に収容しても、操作部２３のさらに先端部となる部分が露出した状態であり、未だ傷を付ける可能性がある。
【００５３】
そこで、収容凹部５１の周囲から筒状に突出する壁部を形成し、収容凹部５１より露出する部分を覆うことで、パチンコ遊技機の特に搬入、設置時に、操作部２３に傷がつくのを防止するようにしてもよい。
なお、操作部２３に傷が付くのを防止することで、操作部２３を傷付けないように注意する必要をなくすことで、作業者の負担を軽減して、作業性を向上し、作業時間の短縮を図ることができる。
【００５４】
また、遊技機本体内部には、操作部材２１が操作位置にあることを検知する第１検知手段５２と、操作部材２１が収容位置にあることを検知する第２検知手段５３が設けられている。すなわち、収容位置と、操作位置との少なくとも一方に操作部２３が存在することを検知する検知手段５２，５３が設けられている。
これら第１および第２検知手段５２，５３は、この例では、操作部材２１の後端の抜け止め板２６を接触もしくは非接触で検知するセンサが用いられており、第１検知手段５２が抜け止め板２６の取付部２２より突出する部分を検知した場合に、操作部材２１が操作位置にあると判定可能となっている。また、第２検知手段５３が抜け止め板２６の取付部２２より突出する部分を検知した場合に、操作部材２１が収容位置にあると判定可能となっている。
【００５５】
第１および第２検知手段５２，５３は、パチンコ遊技機１の制御装置に接続されている。なお、周知のようにパチンコ遊技機１の制御装置は、遊技球の入賞の検知に基づく制御（例えば、払出す遊技球数を決定する処理、大当たり等の各種抽選処理）を行う主制御装置と、ディスプレイ、ＬＥＤ等の発光装置、音声出力装置等の制御を行う副制御装置とを備えており、第１および第２検知手段５２，５３は、副制御装置に接続されている。
【００５６】
そして、副制御装置は、パチンコ遊技機１の電源オン時に、第１検知手段５２からの信号がオンとなって第２検知手段５３がオフとなっているか否かを判定し、そのようになっている場合はそのまま電源オン時の規定の処理を実行し、そのようになっていない場合（第１検知手段５２がオフ場合や第２検知手段がオンの場合）には、ディスプレイを制御して、操作部材２１が操作位置に配置されていないことを報知する画像を表示する。
【００５７】
これにより、設置時に操作部材２１を操作位置にするのを忘れるようなことがあっても、営業時間までに操作位置にすることを促すことができる。
また、副制御装置は、例えば、所定時間内に第１検知手段からの信号が所定回数以上、オンからオフに変換した場合に、例えば、ディスプレイ、発光装置、音声出力装置のいずれかを制御して、特定の画像を表示させたり、特定のＬＥＤを点灯させたり、特定の音声を発生させたりしてもよく、また、遊技球発射装置を制御して遊技球の発射を停止するものとしてもよい。
【００５８】
以上のような構成は、例えば、遊技者が遊技機を揺らして遊技球の流下方向を故意に変更するために、操作部材２１を強く叩いたり、引いたり、押したりすることで、操作部材２１や第１検知手段５２が動いて、一時的に第１検知手段５２が操作部材２１を検知できない状態となることが短時間に複数回繰り返されたら、それを報知したり、遊技機における遊技を停止するためのものである。これにより、上述のような不正が行われた遊技機を特定したり、不正を規制したりすることができる。
【００５９】
以上のようなパチンコ遊技機においては、製造時には、操作ハンドル６を有する操作部材２１が図３に示す収容位置に配置された状態となっている。この際には、操作部材２１の操作部２３が、遊技機本体側に押し付けれて、操作部２３の少なくとも操作ハンドル６の部分までが収容凹部５１に収容された状態とされる。
【００６０】
また、この状態で、取付部２２の前側の溝部２４，２４の取付部２２の軸方向に沿った位置が可動保持部材４２，４２の位置と重なり、前側の溝部２４，２４に可動保持部材４２，４２の先端部を挿入可能となる。
そして、取付部２２の前側の溝部２４に可動保持部材４２，４２の先端部が挿入されて、収容位置に操作部材２１が固定された状態となり、搬送、搬入、設置時等における衝撃等により収容位置の操作部材２１が操作位置側に移動してしまうようなことはない。
以上のことから、操作部材２１の延出量が僅かなものとなる。また、他の部材に引っ掛けやすい指掛け部２８を備えた操作ハンドル６が収容凹部５１に収容され、指掛け部２８も収容された状態となるので、遊技球の搬入、設置作業中に操作部材２１を引っ掛けて、操作部材２１に引っ掛かった部材を破損したり、操作部材２１に傷を付けたりするようなことが防止される。
【００６１】
また、搬送時に、受皿５等の他の遊技機本体前面から突出する他の部材と放れて単独で突出する操作部材２１が引き込むことで、梱包を容易とするとともに、少なくとも遊技機の操作部材２１が取り付けられた右側部側をコンパクト化し、トラックへの積み込み等に際して作業性を向上することができる。
【００６２】
次に、パチンコ遊技機１が遊技店に設置された際に、パチンコ遊技機１に基本的にパチンコ遊技機１の施錠を解錠して前面側の各種部材、例えば、前面枠等を開放して電気的な接続等の作業が行われることになる。この際に、施錠が解錠された状態で操作パネル３ａを含む下部前面パネル３を開放し、可動保持部材４２，４２の間隔を開いて、操作部材２１の取付部２２の溝部２４，２４から可動保持部材４２，４２の先端部を外し、操作部材２１を前後動自在とする。
【００６３】
次に、操作部材２１の後端の抜け止め板２６を支持筒部４１の後端に当接するまで、操作部材２１を押し出すか、引き出すかする。この状態で、取付部２２の後側の溝部２４，２４の取付部２２の軸方向に沿った位置が可動保持部材４２，４２の位置と重なり、後側の溝部２４，２４に可動保持部材４２，４２の先端部を挿入可能となる。
そして、取付部２２の後側の溝部２４に可動保持部材４２，４２の先端部が挿入されて、使用位置に操作部材２１が固定された状態となる。これにより、パチンコ遊技機１を施錠して下部前面パネル３を開放できない状態とすれば、遊技者が使用位置の操作部材２１を収容位置側に動かすことができない状態となり、遊技者によるいたずらを防止することができる。
【００６４】
また、パチンコ遊技機１の設置時の作業の一環として、施錠が解錠された状態で、操作部材２１を引き出して、可動保持部材４２で固定するだけの容易な操作で、操作部材２１を収容位置から操作位置に固定することができるので、多数のパチンコ遊技機１を設置する際でも、操作部材２１の操作位置への固定のためにパチンコ遊技機１の設置時間が大幅に延長されるのを防止できる。
【００６５】
また、操作部材２１は、遊技者によって大きな力をかけられる可能性があるが、操作部材２１の取付部２２が、操作パネル３ａ裏面にビス止めされた金属製の固定部材４０の支持筒部４１に回転不可に挿入された状態とされるとともに、取付部２２の後端の抜け止め板２６が支持筒部４１の後端に当接していることで、操作部材２１の破損を防止している。
【００６６】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００６７】
【図１】本発明の実施の形態に係る操作部材を有するパチンコ遊技機を示す正面図である。
【図２】操作部材が使用位置にある図１に示すパチンコ遊技機のＡ−Ａ矢視断面図である。
【図３】操作部材が収容位置にある図１に示すパチンコ遊技機のＡ−Ａ矢視断面図である。
【符号の説明】
【００６８】
３ａ      操作パネル
６        操作ハンドル
２１      操作部材
２２      取付部
２３      操作部
５１      収容凹部
５２      第１検知手段（検知手段）
５３      第２検知手段（検知手段）
【図１】
2008125521.tif 000003
【図２】
2008125521.tif 000004
【図３】
2008125521.tif 000005